【手続補正書】
【提出日】平成18年1月4日(2006.1.4)
【手続補正１】
【補正対象書類名】明細書
【補正対象項目名】特許請求の範囲
【補正方法】変更
【補正の内容】
【特許請求の範囲】
【請求項１】  着色剤とこれを溶解、または分散する有機溶剤と水とからなり、着色剤として少なくとも１種の粒子径０。０１〜０。３μｍの有機白色顔料及びこれを分散する分散剤を含有したことを特徴とするインクジェット用インク。
【請求項２】  インクに定着付与剤として自己製膜作用を有する樹脂エマルジョンを含有したことを特徴とする請求項１記載のインクジェット用インク。
【請求項３】  インクにさらに浸透性付与剤を含有したことを特徴とする請求項１又は２に記載のインクジェット用インク。
【請求項４】  有機白色顔料が一般式（Ｉ）で示されるアルキレンビスメラミン誘導体であることを特徴とする請求項１、２又は３記載のインクジェット用インク。
【化１】
2002003759.tif 000001
（ただし、Ｒは水素原子または炭素数１〜４のアルキルキまたは脂環式基を表す。Ｒ1〜Ｒ4は同一かまたは異なる水素原子または炭素数１〜４の低級アルキル基を表し、Ｒ1、Ｒ2またはＲ3、Ｒ4が窒素原子と共に複素環式基を形成しても良い。Ｘは炭素数２、３の低級アルキレン基を表す。）
【請求項５】 インクにおいて着色剤としてさらに無機白色顔料を添加したことを特徴とする請求項１、２、３又は４記載のインクジェット用インク。
【請求項６】  浸透性付与剤としてポリオキシエチレンアルキルエーテル酢酸塩(ＩＩ)またはジアルキルスルホ琥珀酸塩(III)を添加したことを特徴とした請求項３記載のインクジェット用インク。
（ただし、Ｒ5−Ｏ−（ＣＨ2ＣＨ2Ｏ）ｍＣＨ2ＣＯＯＭ   - - -(II)
Ｒ5：炭素数６〜１４の分岐してもよいアルキル基、ｍ：３〜１２
Ｍ：アルカリ金属イオン、第４級アンモニウム、第４級ホスホニウム、アルカノールアミン）
【化２】
2002003759.tif 000002
（ただし、Ｒ6、Ｒ7：炭素数５〜７の分岐したアルキル基
Ｍ：アルカリ金属イオン、第４級アンモニウム、第４級ホスホニウム、アルカノールアミン）
【請求項７】  化合物（II）、(III)の対イオンがナトリウム、リチウム及び／または  一般式（IＶ）で示される第４級アンモニウム、第４級ホスホニウム、アルカノ−ルアミン陽イオンであることを特徴とした請求項６記載のインクジェット用インク。
【化３】
2002003759.tif 000003
（ただし、Ｌ：窒素またはリン、Ｒ8〜Ｒ11：水素、炭素数１〜４のアルキル基、ヒドロキシアルキル基、ハロゲン化アルキル基）
【請求項８】  浸透性付与剤として下記一般式(V）、(VI)の界面活性剤を含有することを特徴とした請求項２記載のインクジェット用インク。
【化４】
2002003759.tif 000004
（ただし、Ｒ12は分岐しても良い６〜１４の炭素鎖     ｋ：５〜１２）
【化５】
2002003759.tif 000005
（ただし、ｍ，ｎは０〜４０）
【請求項９】浸透性付与剤として多価アルコールアルキルエーテル、炭素数６以上のジオールを含有したことを特徴とする請求項２、３、４、５、６、７又は８記載のインクジェット用インク。
【請求項１０】  水性インクが尿素及び尿素誘導体を含有することを特徴とした請求項８記載のインクジェット用インク。
【請求項１１】  湿潤剤としてピロリドン誘導体が少なくとも１種含有されたことを特徴とする請求項１、２、３、４、５、６、７、８、９又は１０項記載のインクジェット用インク。
【請求項１２】 ｐＨが６以上１1以下に調整されたことを特徴とする請求項１、２、３、４、５、６、７、８、９、１０又は１１記載のインクジェット用インク。
【請求項１３】 請求項１から請求項１２のいずれかに記載のインクを熱エネルギ−または機械エネルギ−により微小な液滴として飛翔させ、単独または他の色相の液滴と同一箇所に重ねて、ステキヒトサイズ度が３秒以上の被記録剤に付着せしめることにより画像形成をする記録方法。
【手続補正２】
【補正対象書類名】明細書
【補正対象項目名】０００１
【補正方法】変更
【補正の内容】
【０００１】
【発明の属する技術分野】
本発明はインクジェット用に適した水性インク、特に所謂普通紙に対するカラー画像形成に有用なインク組成物に関する。
【手続補正３】
【補正対象書類名】明細書
【補正対象項目名】０００５
【補正方法】変更
【補正の内容】
【０００５】
【発明が解決しようとする課題】
そこで本発明の第１の目的はインクジェットインクとして諸特性を満足し、白色インクとして隠蔽性がよくかつ信頼性の高い水性のインクジェット用インクを提供することにある。
【手続補正４】
【補正対象書類名】明細書
【補正対象項目名】０００６
【補正方法】変更
【補正の内容】
【０００６】
本発明の第２の目的は浸透性の低い被記録媒体に対して耐擦過性が改良された白色水性インクジェット用インクを提供することにある。
本発明の第３の目的は繊維が表面に露呈しているいわゆるノンコート紙に対する浸透性のある白色の水性インクジェット用インクを提供することにある。
本発明の第４の目的は有機白色顔料として好ましい化合物構造を特定することにあり、これを用いることにより白色インクとしての隠蔽性がよく信頼性の高いインクジェット用インクを提供する。
【手続補正５】
【補正対象書類名】明細書
【補正対象項目名】０００７
【補正方法】変更
【補正の内容】
【０００７】
本発明の第５の目的は有機白色顔料を従来用いられている無機白色顔料と併用することで従来の白色インクの保存安定性を改良するインクジェット用インクを提供することにある。
本発明の第６の目的は該インクにおいて浸透性を高める目的で添加する好ましく使用されるアニオン系界面活性剤の構造を特定することにある。これにより適度の紙への浸透性を制御することが可能な白色水性インクジェット用インクを提供する。
【手続補正６】
【補正対象書類名】明細書
【補正対象項目名】０００８
【補正方法】変更
【補正の内容】
【０００８】
本発明の第７の目的は該界面活性剤の保存安定性を向上させる対イオンの態様を提示することにある。
本発明の第８の目的は該インクにおいて浸透性を高める目的で添加する好ましく使用されるノニオン系界面活性剤の構造を特定することにある。これにより適度の紙への浸透性を制御することが可能な白色水性インクジェット用インクを提供する。
本発明の第９の目的は該インクにおいて浸透性を付与する目的で好適に用いられる有機溶剤の種類を特定することにある。これにより適度の紙への浸透性を制御することが可能な白色水性インクジェット用インクを提供する。
【手続補正７】
【補正対象書類名】明細書
【補正対象項目名】００５８
【補正方法】変更
【補正の内容】
【００５８】
【発明の効果】
本発明によればインクジェットインクとして諸特性を満足し、白色インクとして隠蔽性がよくかつ信頼性の高い水性インクジェット用インクが得られ、これにより有彩色の紙に対しても色再現性をもった記録が実施できる。
本発明によれば浸透性の低い被記録媒体に対して耐擦過性が改良された白色水性インクジェット用インクを提供することでフィルムベースの有彩色の被記録体に対しても記録が実施できる。
【手続補正８】
【補正対象書類名】明細書
【補正対象項目名】００５９
【補正方法】変更
【補正の内容】
【００５９】
本発明によれば繊維が表面に露呈しているいわゆるノンコート紙に対する浸透性のある白色の水性インクジェット用インクを提供することで乾燥時間を短くし高速印字に対応させることができる。
本発明によれば有機白色顔料として好ましい化合物構造を特定することにより、これを用いることにより白色インクとしての隠蔽性がよく信頼性の高く長期間放置しても目詰まりの発生がない白色インクを提供することができ維持機構に対する負荷を軽減できる。
【手続補正９】
【補正対象書類名】明細書
【補正対象項目名】００６０
【補正方法】変更
【補正の内容】
【００６０】
本発明によれば有機白色顔料を従来用いられている無機白色顔料と併用することで従来の白色インクの保存安定性を改良することができ従来のシステムからの改良をスムーズに行うことができる。
本発明によれば該インクにおいて浸透性を高める目的で添加する好ましく使用されるアニオン系界面活性剤の構造を特定し、これにより適度の紙への浸透性を制御することが可能な白色水性インクジェット用インクを提供することでより効率的に高速印字に対応することができる。
【手続補正１０】
【補正対象書類名】明細書
【補正対象項目名】００６２
【補正方法】変更
【補正の内容】
【００６２】
本発明によれば該インクにおいて浸透性を高める目的で添加する好ましく使用されるノニオン系界面活性剤の構造を特定し、これにより適度の紙への浸透性を制御することが可能な白色水性インクジェット用インクを提供することでより効率的に高速印字に対応することができる。
本発明によれば該インクにおいて浸透性を付与する目的で好適に用いられる有機溶剤の種類を特定し、これにより適度の紙への浸透性を制御することが可能な白色水性インクジェット用インクを提供し効率的に高速印字に対応することができる。